【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】  自己駆動出力形(self-powered)ソリッドステート過負荷リレーにおいて、
複数の電流変換器ないし変成器を有し、該複数の電流変換器ないし変成器の各々はマルチフェーズロード多相負荷の相導体に対応所属して設けられており、対応所属の相導体内を流れる電流を表す信号を送出するものであり、
マルチフェーズロードへのパワーを遮断するスイッチを有し、
複数のデジタルパルス拡張器回路を有し、該複数のデジタルパルス拡張器回路の各々は、それぞれの電流変換器ないし変成器に対応所属して配されており、所属の相導体内を流れる電流を表す前記信号を受信し、各出力信号を生成するものであり、
処理回路を有し、該処理回路は、前記パルス拡張器回路から前記出力信号を受信し、そして、相導体内を流れる電流を表す前記信号のうちの少なくとも１つが許容し得ないものである場合欠陥信号を発するものであり、
前記処理回路に結合されたデジタルタイマを有し、該デジタルタイマは、前記信号のうちの少なくとも１つが所定の期間許容し得ない状態におかれている場合、前記スイッチを作動するように構成されていることを特徴とするソリッドステート過負荷リレー。
【請求項２】  当該の期間は１〜４ｓｅｃであることを特徴とする請求項１記載のリレー。
【請求項３】  当該の期間は２〜３ｓｅｃであることを特徴とする請求項１記載のリレー。
【請求項４】  更に、前記変換器ないし変成器のうちの少なくとも１つに結合された平均化回路を有し、該平均化回路は、相導体における平均電流に関連する信号を送出するものであり、
少なくとも１つのコンパレータを有し、前記の少なくとも１つのコンパレータは前記平均化回路及び前記の変換器ないし変成器のうちの少なくとも１つに結合された１つの入力側を有し、前記のデジタルパルス拡張器回路のうち少なくとも１つに結合された１つの出力側を有することを特徴とする請求項１記載のリレー。
【請求項５】  更にクロック回路を有し、該クロック回路は、前記のデジタルパルス拡張器回路のうちの少なくとも１つ及び前記のデジタルタイミング回路にクロック信号を供給するように構成されていることを特徴とする請求項１記載のリレー。
【請求項６】  前記クロック回路はテスト信号を受納し、前記クロック信号としてテスト信号を送出するように構成されていることを特徴とする請求項５記載のリレー。
【請求項７】  更に、前記変換器ないし変成器のうちの少なくとも１つに結合された少なくとも１つの整流回路を有し、
前記少なくとも１つの整流回路に結合された加算回路を有し、前記加算回路は、相導体における平均電流に関連する信号を送出するように構成されており、
前記変換器ないし変成器のうちの少なくとも１つ及び前記加算回路に結合された少なくとも１つのコンパレータを有し、
前記のデジタルパルス拡張器回路のうちの少なくとも１つが前記のコンパレータのうちの少なくとも１つに結合されており、
前記のデジタルパルス拡張器のうちの少なくとも１つに結合され、前記のデジタルタイミング回路に結合されたＡＮＤ手段を有していることを特徴とする請求項１記載のリレー。
【請求項８】  処理回路は、少なくとも１つの前記相導体において相不存在欠除ないしフェーズロス（ｐｈａｓｅ  ｌｏｓｓ）が生じているか否かを決定するように構成されていることを特徴とする請求項７記載のリレー。
【請求項９】  前記相導体のうちの少なくとも１つにおいて相不存在欠除、ないしフェーズロスが生じた場合、処理回路は欠陥障害信号を送出するように構成されていることを特徴とする請求項１記載のリレー。
【請求項１０】  相導体のうちの少なくとも１つにおいて電流が過度に増大した場合、処理回路は欠陥障害信号を送出するように構成されていることを特徴とする請求項９記載のリレー。
【請求項１１】  ロードはモータであることを特徴とする請求項９記載のリレー。
【請求項１２】  監視装置であって、該監視装置は、モータにパワーを供給する３相導体に結合されている当該の監視装置において、
少なくとも１つの相導体に結合された少なくとも１つの変換器ないし変成器を有し；
前記変換器ないし変成器のうちの少なくとも１つに結合された処理回路を有し、該処理回路は、少なくとも１つのデジタルパルス拡張器及びデジタルタイミング回路を有し、該デジタルタイミング回路は、前記変換器ないし変成器のうちの少なくとも１つからの信号の値が或期間中許容不能である場合欠陥障害を発生するものであり、
デジタルタイミング回路に結合されたスイッチを有し、該スイッチは、前記欠陥障害信号に応答して作動されて、モータへのパワーの印加供給を遮断するように構成されていることを特徴とする監視装置。
【請求項１３】  前記デジタルタイミング回路は、前記パルス拡張器のうちの少なくとも１つに結合されていることを特徴とする請求項１２記載の監視装置。
【請求項１４】  更に前記変換器ないし変成器のうちの少なくとも１つに結合された加算回路を有し、該加算回路は、相導体における平均電流に関連する信号を生じさせるものであり、
前記変換器ないし変成器のうち少なくとも１つと、前記加算回路に結合された少なくとも１つのコンパレータを有することを特徴とする請求項１２記載の監視装置。
【請求項１５】  更にクロック回路を有し、該クロック回路は前記デジタルパルス拡張器のうちの少なくとも１つ及び前記デジタルタイミング回路にクロック信号を供給するように構成されていることを特徴とする請求項１２記載の監視装置。
【請求項１６】  前記クロック回路は、テスト信号を受領し、前記テスト信号を前記クロック信号として出力するように構成されていることを特徴とする請求項１５記載の監視装置。
【請求項１７】  更に、前記変換器ないし変成器のうちの少なくとも１つに結合された少なくとも１つの整流回路を有し、
前記少なくとも１つの整流回路に結合された加算回路を有し、前記加算回路は、相導体における平均電流に関連する信号を送出するように構成されており、
前記変換器ないし変成器のうちの少なくとも１つ及び前記加算回路に結合された少なくとも１つのコンパレータを有し、
前記パルス拡張器のうちの少なくとも１つに結合され、前記デジタルタイミング回路に結合されたＡＮＤ手段を有していることを特徴とする請求項１２記載の監視装置。
【請求項１８】  処理回路は、前記相導体のうちの少なくとも１つにおいて相不存在欠除が生じているか否かを決定するように構成されていることを特徴とする請求項１７記載の監視装置。
【請求項１９】  当該の期間は１〜４ｓｅｃであることを特徴とする請求項１８記載の監視装置。
【請求項２０】  当該の期間は２〜３ｓｅｃであることを特徴とする請求項１８記載の監視装置。
【請求項２１】  ソリッドステート過負荷リレーにおいて、
複数の電流センシング回路を有し、複数の電流センシング回路の各々は、ロードへのそれぞれの相入力に所属して設けられており、それぞれの相入力への電流を表す信号を送出するものであり、
前記のロードへの前記相入力を遮断するスイッチを有し、
前記電流センシング回路に結合された欠陥障害検出回路を有し、前記電流センシング回路に結合された欠陥障害検出回路は、少なくとも１つの所定の状態の発生に応じてスイッチを作動するものであり、
前記複数の電流センシング回路のうちの少なくとも１つに結合されたパワー給電源を有し、前記パワー給電源は、前記欠陥障害検出回路にパワーを供給するものであり、
前記パワー給電源に結合された電気的クランプを有し、
前記電気的クランプに結合されたパワーダンプ回路を有し、前記パワーダンプ回路は、電気的クランプにおけるパワー消費を低減するものであることを特徴とするソリッドステート過負荷リレー。
【請求項２２】  前記電気的クランプはツェナーダイオードを有することを特徴とする請求項２１記載のリレー。
【請求項２３】  前記パワーダンプ回路は、前記電気的クランプに並列に接続されたトランジスタスイッチを有することを特徴とする請求項２１記載のリレー。
【請求項２４】  前記トランジスタスイッチは、デューティサイクル信号により作動されるように構成されていることを特徴とする請求項２３記載のリレー。
【請求項２５】  前記欠陥障害検出回路は、スイッチの作動を遅延させるデジタルタイマを有することを特徴とする請求項２１記載のリレー。
【請求項２６】  更に、前記デジタルタイマにクロック信号を供給するデジタルクロック部を有することを特徴とする請求項２５記載のリレー。
【請求項２７】  前記デジタルクロック部は、テストクロック信号を受納し、前記テストクロック信号をクロック信号として前記デジタルタイマに供給するように構成されていることを特徴とする請求項２６記載のリレー。
【請求項２８】  前記トランジスタスイッチは、前記のデジタルクロック部からのタイミング信号により作動されるように構成されていることを特徴とする請求項２６記載のリレー。
【請求項２９】  前記タイミング信号を選択的に可変できることを特徴とする請求項２８記載のリレー。
【請求項３０】  前記欠陥障害検出回路は、少なくとも１つデジタルパルス拡張器回路を有し、前記デジタルパルス拡張器回路は、それぞれの相入力への電流を表す前記信号をＤＣ信号に変換するものであることを特徴とする請求項２１記載のリレー。
【請求項３１】  前記欠陥障害検出回路は、さらに、前記デジタルパルス拡張器回路に結合されたデジタルタイマを有することを特徴とする請求項３０記載のリレー。
【請求項３２】  更に、前記デジタルタイマ及びデジタルパルス拡張器回路にクロック信号を供給するデジタルクロック部を有することを特徴とする請求項３１記載のリレー。
【請求項３３】  前記トランジスタスイッチは、前記デジタルクロック部により生ぜしめられるデューティサイクル信号により作動されるように構成されていることを特徴とする請求項３２記載のリレー。
【請求項３４】  前記デューティサイクル信号を選択的に可変できることを特徴とする請求項３３記載のリレー。
【請求項３５】  マルチフェーズロードの相入力を監視する方法において、下記のステップを有し、即ち、
各々が相入力における電流を表す複数の信号を発生するステップ；
前記信号をデジタルパルス拡張器内に入力するステップ；
前記デジタルパルス拡張器からの出力を処理し、前記相入力側のうちの少なくとも１つにおいて相不存在欠除ないしフェーズロス（ｐｈａｓｅ  ｌｏｓｓ）が生じているか否かを決定するステップ；
前記相入力側のうちの少なくとも１つにおいて相不存在欠除ないしフェーズロス（ｐｈａｓｅ  ｌｏｓｓ）が生じている場合、デジタルタイマをシグナリングするステップ；
前記入力のうちの１つにて、所定の期間中相不存在欠除ないしフェーズロス（ｐｈａｓｅ  ｌｏｓｓ）が生じている場合、前記相入力における電流を中断するステップを有することを特徴とする相入力を監視する方法。
【請求項３６】  更に下記ステップを有する、即ち、
パワー基準信号を発生するステップ；
電気的クランプ部をパワー基準信号に結合することにより、パワー基準信号をクランピングするステップを有することを特徴とする請求項３５記載の方法。
【請求項３７】  更に、下記のステップを有する、即ち、
前記電気的クランプ部に並列にパワーダンプ回路を設けることにより、前記電気的クランプ部におけるパワー消費を低減させるステップを有することを特徴とする請求項３６記載の方法。